(57)【要約】【課題】ウォームアップ及びクールダウンがあとどのくらいで終了するのかを簡単に把握することのできるプロジェクタを提供する。【解決手段】ランプ１がＯＮされた後、ランプ１のウォームアップの進行状況に応じて、状態表示部１０の複数の表示部１１の点灯・消灯を制御し、ランプ１のウォームアップが、あとどのくらいで終了するかを状態表示部１０上に示す。また、ランプ１がＯＦＦされた後、ランプ１のクールダウンの進行状況に応じて状態表示部１０の各表示部１１の点灯・消灯を制御して、ランプ１のクールダウンが、あとどのくらいで終了するかを状態表示部１０上に示す。【選択図】        図２
2005017583.tif 000002
【特許請求の範囲】
【請求項１】
光源ランプから出射された光束を変調した後に投写表示するプロジェクタであって、
３つ以上の複数の表示部を備えた状態表示部と、前記状態表示部の前記複数の表示部の点灯・消灯を制御するとともに、前記光源ランプがＯＮされた後に行う前記光源ランプのウォームアップの進行状況と前記光源ランプがＯＦＦされた後に行う前記光源ランプのクールダウンの進行状況とを把握する制御部とを備え、
前記制御部は、前記光源ランプがＯＮされた後、前記光源ランプのウォームアップの進行状況に応じて前記状態表示部の前記各表示部の点灯・消灯を制御し、前記光源ランプのウォームアップが、あとどのくらいで終了するかを前記状態表示部上に表示し、また、前記光源ランプがＯＦＦされた後、前記光源ランプのクールダウンの進行状況に応じて前記状態表示部の前記各表示部の点灯・消灯を制御して、前記光源ランプのクールダウンが、あとどのくらいで終了するかを前記状態表示部上に表示することを特徴とするプロジェクタ。
【請求項２】
前記複数の表示部は、プロジェクタの投写方向に向かって直線状に配置されており、前記制御部は、前記光源ランプのウォームアップが進むに連れて前記投写方向に向かう順に前記各表示部の何れか１つを順次切り替えて点灯させ、ウォームアップが終了した際には前記各表示部のうち最も投写方向の端の表示部を点灯させた状態とするか、又は前記光源ランプのウォームアップが進むに連れて前記投写方向に向かう順に前記各表示部を順次点灯させ、ウォームアップが終了した際には全て点灯した状態とすること特徴とする請求項１記載のプロジェクタ。
【請求項３】
前記複数の表示部は、円形状に配置されており、前記制御部は、前記光源ランプのウォームアップが進むに連れて、前記各表示部の何れか１つを、時計回り又は反時計回りに順次切り替えて点灯させるか、又は前記光源ランプのウォームアップが進むに連れて、前記各表示部を時計回り又は反時計回りに順次点灯させていくことを特徴とする請求項１記載のプロジェクタ。
【請求項４】
前記複数の表示部は、プロジェクタの投写方向に向かって直線状に配置されており、前記制御部は、前記光源ランプのクールダウンが進むに連れて前記投写方向とは逆方向に向かう順に、前記各表示部の何れか１つを順次切り替えて点灯させ、クールダウンが終了した際には各表示部のうち投写方向とは逆方向の最も端の表示部を点灯させた状態とするか、又はまず最初に前記各表示部を全て点灯させ、前記光源ランプのクールダウンが進むに連れて前記各表示部を前記投写方向とは逆方向に向かう順に各表示部を順次消灯させ、クールダウンが終了した際には全て消灯した状態とすることを特徴とする請求項１記載のプロジェクタ。
【請求項５】
前記各表示部の点灯及び消灯を確認可能な表示窓が各表示部に対応してプロジェクタの筐体に設けられており、前記各表示窓の形状は、投写方向とは逆方向の最も端の表示窓については円形状に形成し、その他の各表示窓については、投写方向に凸の円弧状に形成し、且つその円弧の長さが、投写方向の表示窓となるに従って長くなるように形成したことを特徴とする請求項２又は請求項４記載のプロジェクタ。
プロジェクタ。
【請求項６】
前記複数の表示部は、円形状に配置されており、前記制御部は、前記光源ランプのクールダウンが進むに連れて、前記各表示部の何れか１つを反時計回り又は時計回りに順次点灯させるか、又はまず最初に前記各表示部を全て点灯させ、前記光源ランプのクールダウンが進むに連れて前記各表示部を反時計回り又は時計回りに順次消灯させていくことを特徴とする請求項１記載のプロジェクタ。
【請求項７】
光源ランプから出射された光束を変調した後に投写表示するプロジェクタであって、
インジケータを表示する状態表示部と、前記状態表示部の前記インジケータの表示を制御するとともに、前記光源ランプがＯＮされた後に行う前記光源ランプのウォームアップの進行状況と前記光源ランプがＯＦＦされた後に行う前記光源ランプのクールダウンの進行状況とを把握する制御部とを備え、
前記制御部は、前記光源ランプがＯＮされた後、前記光源ランプのウォームアップの進行状況に応じて前記状態表示部上の前記インジケータの表示を変化させることで前記光源ランプのウォームアップが、あとどのくらいで終了するかを前記状態表示部上に表示し、また、光源ランプがＯＦＦされた後、前記光源ランプのクールダウンの進行状況に応じて前記状態表示部上の前記インジケータの表示を変化させ、前記光源ランプのクールダウンが、あとどのくらいで終了するかを前記状態表示部上に表示することを特徴とするプロジェクタ。
【請求項８】
前記インジケータは、プロジェクタの投写方向に向かって延びる矩形状領域と該矩形状領域内に表示される指標部とで構成され、前記制御部は、前記光源ランプのウォームアップが進むに連れて前記指標部を前記矩形状領域の前記投写方向とは逆方向側の端部から投写方向に向かって移動させるか、又は前記光源ランプのウォームアップが進むに連れて前記指標部を前記矩形状領域における前記投写方向とは逆方向側の端部から前記投写方向に向かって延ばしていくことを特徴とする請求項７記載のプロジェクタ。
【請求項９】
前記インジケータは、プロジェクタの投写方向に向かって延びる矩形状領域と該矩形状領域内を移動する指標部とで構成され、前記制御部は、前記光源ランプのクールダウンが進むに連れて前記指標部を前記矩形状領域の前記投写方向側の端部から投写方向とは逆方向に向かって移動させるか、又は、まず最初に矩形状領域全体に指標部を表示させ、前記光源ランプのクールダウンが進むに連れて、前記指標部を前記投写方向側の端部側から徐々に短くなるようにしたことを特徴とする請求項７記載のプロジェクタ。
【請求項１０】
プロジェクタの電源投入後の前記光源ランプのウォームアップ経過時間及びクールダウン経過時間を計時するタイマと、前記光源ランプをウォームアップさせるのに要するウォームアップ設定時間及び前記光源ランプをクールダウンさせるのに要するクールダウン設定時間を記憶する記憶部とを備え、前記制御部は、前記タイマにより計時されたウォームアップ経過時間と、前記記憶部のウォームアップ設定時間とに基づいてウォームアップの進行状況を把握し、また、前記タイマにより計時されたクールダウン経過時間と、前記記憶部のクールダウン設定時間とに基づいてクールダウンの進行状況を把握することを特徴とする請求項１乃至請求項９の何れかに記載のプロジェクタ。
【請求項１１】
前記光源ランプの温度を検出する温度検出部と、前記光源ランプのウォームアップ終了時のウォームアップ終了温度及び前記光源ランプのクールダウン終了時のクールダウン終了温度を記憶する記憶部とを備え、前記制御部は、前記温度検出部により検出された前記光源ランプの温度と、前記記憶部のウォームアップ終了温度とに基づいてウォームアップの進行状況を把握し、また、前記温度検出部により検出された前記光源ランプの温度と、前記記憶部のクールダウン終了温度とに基づいてクールダウンの進行状況を把握することを特徴とする請求項１乃至請求項９の何れかに記載のプロジェクタ。
【発明の詳細な説明】
【０００１】
【発明の属する技術分野】
本発明は、プロジェクタに関するものである。
【０００２】
【従来の技術】
光源ランプから出射された光束を変調した後に投写表示するプロジェクタにおいては、電源スイッチをＯＮした後、直ぐに画像は投写表示されず、ある程度の時間が掛かるようになっている。この時間は、光源ランプをウォームアップさせるのに要する時間であり、このウォームアップ時間が経過すると、実際に画像を投写可能な状態となる。また、電源スイッチをＯＦＦして光源ランプを消灯させた際には、これまでの点灯によって高温となっている光源ランプを、ある程度の温度まで冷却させるクールダウン時間が必要とされ、このクールダウン時間が経過した後、電源コンセントを抜いて片づけるなどの作業を行うことが可能となっている。
【０００３】
この種の従来のプロジェクタにおいては、電源スイッチがＯＮされると、まずＬＥＤを点灯させて電源がＯＮされたことを示し、そして、ウォームアップが終了すると、前記ＬＥＤの表示色を変えるなどしてウォームアップが終了したことを示すようにしている。
【０００４】
また、従来のプロジェクタにおいては、ランプの電源オフ後においてクールダウンのためにファンが運転されている間、時間の経過に応じてＬＥＤの発光色を変化させ、ファンの運転がまだしばらく続くのか、運転終了が近いのかがＬＥＤの発光色から判断できるようにしたものがある（例えば、特許文献１参照）。
【０００５】
【特許文献１】
特開２００３−１２１９２９号公報
【０００６】
【発明が解決しようとする課題】
しかしながら、上記従来技術では、ウォームアップがあとどのくらいで終了するのかを知ることができないという問題があった。また、クールダウンの際に、時間の経過に応じてＬＥＤの発光色を変化させるようにした技術では、一つのＬＥＤの色変化によって、クールダウンがあとどのくらいで終了するのかを把握しなければならないため、どのような色変化が起こるのか予め知っている必要があり、単にＬＥＤの表示を一瞥してクールダウンの進行状況を把握できる形式のものではなかった。
【０００７】
本発明は、このような点に鑑みなされたもので、ウォームアップ及びクールダウンがあとどのくらいで終了するのかを簡単に把握することのできるプロジェクタを提供することを目的とする。
【０００８】
【課題を解決するための手段】
本発明に係るプロジェクタは、光源ランプから出射された光束を変調した後に投写表示するプロジェクタであって、３つ以上の複数の表示部を備えた状態表示部と、状態表示部の複数の表示部の点灯・消灯を制御するとともに、光源ランプがＯＮされた後に行う光源ランプのウォームアップの進行状況と光源ランプがＯＦＦされた後に行う光源ランプのクールダウンの進行状況とを把握する制御部とを備え、制御部は、光源ランプがＯＮされた後、光源ランプのウォームアップの進行状況に応じて状態表示部の各表示部の点灯・消灯を制御し、光源ランプのウォームアップが、あとどのくらいで終了するかを状態表示部上に表示し、また、光源ランプがＯＦＦされた後、光源ランプのクールダウンの進行状況に応じて状態表示部の各表示部の点灯・消灯を制御して、光源ランプのクールダウンが、あとどのくらいで終了するかを状態表示部上に表示するものである。このように構成することで、ユーザは、あとどのくらいでウォームアップが終了して投写表示が可能となるのか、また、あとどのくらいでクールダウンが終了して電源コンセントを抜くことができるのかを、状態表示部の表示を一瞥しただけで簡単に把握することができるようになる。
【０００９】
また、本発明に係るプロジェクタは、上記複数の表示部が、プロジェクタの投写方向に向かって直線状に配置されており、制御部は、光源ランプのウォームアップが進むに連れて投写方向に向かう順に各表示部の何れか１つを順次切り替えて点灯させ、ウォームアップが終了した際には各表示部のうち最も投写方向の端の表示部を点灯させた状態とするか、又は光源ランプのウォームアップが進むに連れて投写方向に向かう順に各表示部を順次点灯させ、ウォームアップが終了した際には全て点灯した状態とするものである。このように点灯制御することで、プロジェクタの状態が、スクリーンへの投写可能状態へ向けて進行していることが感覚的に分かりやすい。
【００１０】
また、本発明に係るプロジェクタは、上記複数の表示部が、円形状に配置されており、制御部は、光源ランプのウォームアップが進むに連れて、各表示部の何れか１つを、時計回り又は反時計回りに順次切り替えて点灯させるか、又は光源ランプのウォームアップが進むに連れて、各表示部を時計回り又は反時計回りに順次点灯させていくものである。このような複数の表示部の配置及び点灯制御を行うようにしても良い。
【００１１】
また、本発明に係るプロジェクタは、上記複数の表示部が、プロジェクタの投写方向に向かって直線状に配置されており、制御部は、光源ランプのクールダウンが進むに連れて投写方向とは逆方向に向かう順に、各表示部の何れか１つを順次切り替えて点灯させ、クールダウンが終了した際には各表示部のうち投写方向とは逆方向の最も端の表示部を点灯させた状態とするか、又はまず最初に各表示部を全て点灯させ、光源ランプのクールダウンが進むに連れて各表示部を投写方向とは逆方向に向かう順に各表示部を順次消灯させ、クールダウンが終了した際には全て消灯した状態とするものである。このように構成することで、投写表示状態から、動作終了状態（クールダウン終了状態）へと進行していることが感覚的に分かりやすい。
【００１２】
また、本発明に係るプロジェクタは、各表示部の点灯及び消灯を確認可能な表示窓が各表示部に対応してプロジェクタの筐体に設けられており、各表示窓の形状は、投写方向とは逆方向の最も端の表示窓については円形状に形成し、その他の各表示窓については、投写方向に凸の円弧状に形成し、且つその円弧の長さが、投写方向の表示窓となるに従って長くなるように形成したものである。このように構成することで、プロジェクタの状態が、スクリーンへの投写可能状態へ向けて進行していること、又は投写表示状態から動作終了状態（クールダウン終了状態）へと進行していることが更に感覚的に把握し易くなる。
【００１３】
また、本発明に係るプロジェクタは、上記複数の表示部が、円形状に配置されており、制御部は、光源ランプのクールダウンが進むに連れて、各表示部の何れか１つを反時計回り又は時計回りに順次点灯させるか、又はまず最初に各表示部を全て点灯させ、光源ランプのクールダウンが進むに連れて各表示部を反時計回り又は時計回りに順次消灯させていくものである。このように複数の表示部の配置及び点灯制御を行うようにしても良い。
【００１４】
また、本発明に係るプロジェクタは、光源ランプから出射された光束を変調した後に投写表示するプロジェクタであって、インジケータを表示する状態表示部と、状態表示部のインジケータの表示を制御するとともに、光源ランプがＯＮされた後に行う光源ランプのウォームアップの進行状況と光源ランプがＯＦＦされた後に行う光源ランプのクールダウンの進行状況とを把握する制御部とを備え、制御部は、光源ランプがＯＮされた後、光源ランプのウォームアップの進行状況に応じて状態表示部上のインジケータの表示を変化させることで光源ランプのウォームアップが、あとどのくらいで終了するかを状態表示部上に表示し、また、光源ランプがＯＦＦされた後、光源ランプのクールダウンの進行状況に応じて状態表示部上のインジケータの表示を変化させ、光源ランプのクールダウンが、あとどのくらいで終了するかを状態表示部上に表示するものである。このように、インジケータによって、ウォームアップの進行状況とクールダウンの進行状況を示すようにしても良い。
【００１５】
また、本発明に係るプロジェクタは、上記インジケータが、プロジェクタの投写方向に向かって延びる矩形状領域と矩形状領域内に表示される指標部とで構成され、制御部は、光源ランプのウォームアップが進むに連れて指標部を矩形状領域の投写方向とは逆方向側の端部から投写方向に向かって移動させるか、又は光源ランプのウォームアップが進むに連れて指標部を矩形状領域における投写方向とは逆方向側の端部から投写方向に向かって延ばしていくものである。このようなインジケータの表示を行うことによって、ウォームアップの進行状況を示すようにしても良い。
【００１６】
また、本発明に係るプロジェクタは、上記インジケータが、プロジェクタの投写方向に向かって延びる矩形状領域と矩形状領域内を移動する指標部とで構成され、制御部は、光源ランプのクールダウンが進むに連れて指標部を矩形状領域の投写方向側の端部から投写方向とは逆方向に向かって移動させるか、又は、まず最初に矩形状領域全体に指標部を表示させ、光源ランプのクールダウンが進むに連れて、指標部を投写方向側の端部側から徐々に短くなるようにしたものである。このようなインジケータの表示を行うことによって、クールダウンの進行状況を示すようにしても良い。
【００１７】
また、本発明に係るプロジェクタは、プロジェクタの電源投入後の光源ランプのウォームアップ経過時間及びクールダウン経過時間を計時するタイマと、光源ランプをウォームアップさせるのに要するウォームアップ設定時間及び光源ランプをクールダウンさせるのに要するクールダウン設定時間を記憶する記憶部とを備え、制御部は、タイマにより計時されたウォームアップ経過時間と、記憶部のウォームアップ設定時間とに基づいてウォームアップの進行状況を把握し、また、タイマにより計時されたクールダウン経過時間と、記憶部のクールダウン設定時間とに基づいてクールダウンの進行状況を把握するものである。このように、ウォームアップ経過時間及びクールダウン経過時間によってウォームアップの進行状況及びクールダウンの進行状況を把握することができる。
【００１８】
また、本発明に係るプロジェクタは、光源ランプの温度を検出する温度検出部と、光源ランプのウォームアップ終了時のウォームアップ終了温度及び光源ランプのクールダウン終了時のクールダウン終了温度を記憶する記憶部とを備え、制御部は、温度検出部により検出された光源ランプの温度と、記憶部のウォームアップ終了温度とに基づいてウォームアップの進行状況を把握し、また、温度検出部により検出された光源ランプの温度と、記憶部のクールダウン終了温度とに基づいてクールダウンの進行状況を把握するものである。このように、光源ランプの温度によってウォームアップの進行状況及びクールダウンの進行状況を把握することができる。
【００１９】
【発明の実施の形態】
以下、本発明の一実施の形態の図面に基づいて説明する。
まず、本発明の要部の説明に先だって、プロジェクタの光学系の構成について説明する。
【００２０】
図３は、プロジェクタの光学系を示す構成図であり、この図３を参照しながら、その光学系の構成および作用を以下に説明する。
【００２１】
この光学系は、照明光学系２３、色光分離光学系８、リレー光学系２５、液晶パネル２Ｒ，２Ｇ，２Ｂ、色光合成のためのクロスダイクロイックプリズム９、および投写レンズ３などから構成されている。
【００２２】
照明光学系２３は、ランプ（光源ランプ）１、リフレクタ２０、インテグレータレンズを構成する第１および第２レンズアレイ２１，２２、光の進行方向を調整する反射ミラー３１、および重畳レンズ３２を備えている。なお、照明光の進行方向の調整が不要な構成の場合には反射ミラー３１は不要である。
【００２３】
第１レンズアレイ２１は、略矩形状の輪郭を有する小レンズ２１１がＭ行Ｎ列のマトリクス状に配列された構成を有している。各小レンズ２１１は、ランプ１から入射された平行な光束を複数の（すなわちＭ×Ｎ個の）部分光束に分割し、各部分光束を第２レンズアレイ２２の近傍で結像させる。各小レンズ２１１の輪郭の形状は、液晶パネル２Ｒ，２Ｇ，２Ｂの画像形成領域の形状とほぼ相似形をなすように設定されている。例えば、液晶パネルの画像形成領域のアスペクト比（横と縦の寸法の比率）が４：３であるならば、各小レンズのアスぺクト比も４：３に設定される。
また、第２レンズアレイ２２も、第１レンズアレイ２１の小レンズ２１１に対応して、小レンズ２２１がＭ行Ｎ列のマトリクス状に配列された構成を有している。
【００２４】
色光分離光学系８は、２枚のダイクロイックミラー４１，４２と反射ミラー４３とを備え、照明光学系２３の重畳レンズ３２から出射される光を、赤、緑、青の３つの色光に分離する機能を有している。
リレー光学系２５は、ダイクロイックミラー４２からの透過光に対応する光路で、入射側レンズ５４、反射ミラー７１，７２、およびリレーレンズ７３を備えている。
【００２５】
液晶パネル２Ｒ，２Ｇ，２Ｂは、例えば、ポリシリコンＴＦＴをスイッチング素子として用いたもので、クロスダイクロイックプリズム９の３側面と対向するように、クロスダイクロイックプリズム９に固定部材を介して接着固定されている。また、各液晶パネル２Ｒ，２Ｇ，２Ｂの光入出射面側には、入射側偏光板６０Ｒ，６０Ｇ，６０Ｂが、そして光出射面側には出射側偏光板６１Ｒ，６１Ｇ，６１Ｂがそれぞれ配置されている。
【００２６】
クロスダイクロイックプリズム９は、赤、緑，青の３色の色光を合成してカラー画像を形成するもので、赤光を反射する誘電体多層膜と、青光を反射する誘電体多層膜とが、４つの直角プリズムの界面に沿って略Ｘ字状に形成され、これらの誘電体多層膜によって上記３つの色光が合成される。そして、クロスダイクロイックプリズム９の出射面側に、投写レンズ３が配置されている。
【００２７】
続いて、上記光学系の作用を説明する。ランプ１から射出された光はリフレクタ２０で反射されて、第１および第２レンズアレイ２１，２２で構成されるインテグレータレンズに入る。インテグレータレンズは、第１レンズアレイ２１の各レンズセルで形成される像を、第２レンズアレイ２２および重畳レンズ３２により各液晶パネル２Ｒ，２Ｇ，２Ｂの画像表示面に結像させることで、光の利用率を向上させかつ照明むらを改善する作用を果たす。そして、重畳レンズ３２を出た光は、続いて色光分離光学系８に入る。
【００２８】
色光分離光学系８の第１ダイクロイックミラー４１では、照明光学系２３から出射された光束の赤色光成分を反射するとともに、青色光成分と緑色光成分とを透過させる。第１ダイクロイックミラー４１によって反射した赤色光は、反射ミラー４３を介して、フィールドレンズ５１に入り、さらに赤色光用の液晶パネル２Ｒに達する。このフィールドレンズ５１は、各部分光束をその中心軸（主光線）に対して平行な光束に変換する。他の液晶パネル２Ｇ，２Ｂの前に設けられたフィールドレンズ５２，５３も同様に作用する。
【００２９】
第１ダイクロイックミラー４１を透過した青色光と緑色光のうちで、緑色光は第２ダイクロイックミラー４２によって反射し、フィールドレンズ５２を通って緑色光用の液晶パネル２Ｇに達する。一方、青色光は第２ダイクロイックミラー４２を透過してリレー光学系２５を通り、さらにフィールドレンズ５３を通って青色光用の液晶パネル２Ｂに達する。
【００３０】
色光分離光学系８で分離された赤、緑、青の各色光は、液晶パネル２Ｒ，２Ｇ，２Ｂに入射するにあたり、入射側偏光板６０Ｒ，６０Ｇ，６０Ｂで特定の偏光光のみとされる。この後、各偏光光は、各液晶パネル２Ｒ，２Ｇ，２Ｂにおいて画像処理回路２Ａより与えられた画像情報に従って変調され、変調光として出射側備光板６１Ｒ，６１Ｇ，６１Ｂに出射される。この出射側偏光板６１Ｒ，６１Ｇ，６１Ｂにおいては、変調光のうちの特定の偏光光のみが透過し、クロスダイクロイックプリズム９に入射する。そして、各色光はクロスダイクロイックプリズム９で合成されて合成光となり、投写レンズ３からスクリーン２００にカラー画像として投写される。
【００３１】
なお、照明光学系２３の所定位置、例えば、第２レンズアレイ２２と重畳レンズ３２との間に、ランプ１からのＰ偏光およびＳ偏光の双方を含む照明光を、その一方の偏光光に揃える偏光ビームスプリッタを配置すると、液晶パネル２Ｒ，２Ｇ，２Ｂにおいて、ランプ１から入射した光を無駄にすることなく、そのほぼ全てを利用することが可能となる。
【００３２】
以上の説明によりプロジェクタの光学系の構成が明らかになったところで、以下に、本発明の特徴部分について説明する。
【００３３】
実施の形態１．
図１は、本発明の実施の形態１に係るプロジェクタの外観斜視図である。
プロジェクタ１００の筐体表面には、プロジェクタ１００の状態を表示するための状態表示部１０が設けられている。この状態表示部１０には例えばＬＥＤなどの発光素子で構成される表示部１１が複数（図１には４つの例を図示）設けられており、各表示部１１が投写方向に向かって直線状に配置されている。また、筐体表面には、各表示部１１にそれぞれ対応して設けられた円形状の表示窓１２が設けられており、この表示窓１２から各表示部１１の点灯及び消灯が確認できるようになっている。また、図１において、１３は、プロジェクタ１００の電源をＯＮ／ＯＦＦするための電源スイッチ１３である。
【００３４】
図２は、プロジェクタの主な構成を示すブロック図である。このプロジェクタ１００は、図示するように、照明光源としてのランプ１、ランプ１の照明光を、赤（Ｒ）、緑（Ｇ）、青（Ｂ）の光に分離する色光分離光学系８、分離された各色光がそれぞれ照射され所定の画像情報に従って画像を表示する光変調素子としての液晶パネル２Ｒ，２Ｇ，２Ｂ、これらの各液晶パネルで生成された画像を合成するクロスダイクロイックプリズム９、合成された画像を投写する投写レンズ３を備える。プロジェクタ１００は、また、ランプ１を駆動するランプ駆動回路１Ａ、液晶パネル２Ｒ，２Ｇ，２Ｂに画像情報を供給する画像処理回路２Ａ、音声を出力するスピーカ４、スピーカ４に音声情報を供給する音声処理回路４Ａ、ランプ１および／または液晶パネル２Ｒ，２Ｇ，２Ｂを冷却するためのファン５、ファン５を駆動するためのファン駆動回路５Ａ、ユーザーインターフェース６、以下に詳述する本実施の形態の動作を実現するための制御プログラムや必要な各種データなどを記憶する記憶部７、プロジェクタ１００の電源をＯＮ／ＯＦＦするための前述の電源スイッチ１３、そして、ランプ駆動回路１Ａ、画像処理回路２Ａ、音声処理回路４Ａ、ファン駆動回路５Ａ、並びにユーザーインターフェース６を制御する中央処理装置（ＣＰＵ）（制御部）１４を備える。
【００３５】
この実施の形態１ではさらに、上述した状態表示部１０と、ウォームアップ経過時間及びクールダウン経過時間を計時するタイマ１５とを備えており、これらはＣＰＵ１４に接続されている。
【００３６】
また、前述の記憶部７には、ランプ１のウォームアップに必要な時間であるウォームアップ設定時間と、ランプ１のクールダウンに必要な時間であるクールダウン設定時間とが予め設定記憶されており、ＣＰＵ１４は、記憶部７に設定されたウォームアップ設定時間とタイマ１５によって計時されたウォームアップ経過時間とに基づいてウォームアップの進行状況を把握し、その進行状況に応じて状態表示部１０の表示を制御する。また、ＣＰＵ１４は、記憶部７に設定されたクールダウン設定時間と、タイマ１５によって計時されたクールダウン経過時間とに基づいてクールダウンの進行状況を把握し、その進行状況に応じて状態表示部１０の表示を制御する。この状態表示部１０における表示の具体例については、後述する。
【００３７】
上記のプロジェクタ１００における基本動作についてまず説明する。
まず、電源スイッチ１３がＯＮされると、ランプ駆動回路１Ａによりランプ１を点灯させる。そして、予め設定されたウォームアップ設定時間が経過すると、ランプ１のウォームアップが終了して高輝度の出力が可能となったランプ１からの照明光を、色光分離光学系８で赤（Ｒ）、緑（Ｇ）、青（Ｂ）の色光に分離させ、分離した各色光を画像のＲＧＢ信号のそれぞれに対応して設けられた液晶パネル２Ｒ，２Ｇ，２Ｂに照射して画像を表示させた後、それぞれの画像をクロスダイクロイックプリズム９で合成して、その合成画像を投写レンズ３からスクリーン２００などに投写する。また、その画像表示に合わせて、音声処理回路４Ａからの音声情報に従ってスピーカ４から音声が出力される。さらに、主電源がＯＮされている間は、ファン駆動回路５Ａによりファン５が駆動され、プロジェクタ内部の温度が予め定められた所定値以下に保たれるようになっている。なお、ファン５の駆動は、通常、内部の温度状況に対応してＣＰＵ１４などにより自動的に制御されている。
【００３８】
また、電源スイッチ１３がＯＦＦされると、予め設定したクールダウン設定時間の間、ファン５がファン駆動回路５Ａにより駆動されて、ランプ１のクールダウンが行なわれる。なお、プロジェクタ１００は、電源スイッチ１３がＯＦＦされても、図示しない電源コンセントが抜かれるまではファン駆動回路５Ａに電源が供給されるように構成されており、かかる構成により電源スイッチＯＦＦ後のファン駆動が可能となっている。
【００３９】
次に、実施の形態１の特徴部分の動作を説明する。なお、以下に説明する動作は、ＣＰＵ１４が記憶部７内の制御プログラムを実行することにより実現されるものである。
【００４０】
図４は、実施の形態１のプロジェクタにおけるランプのウォームアップ時の処理の流れを示すフローチャートである。以下、図４に基づいて、ランプ１のウォームアップ時の状態表示部１０の表示制御に着目したＣＰＵ１４の動作について説明する。
電源スイッチ１３がＯＮされてランプ１が点灯すると（Ｓ１）、ＣＰＵ１４は、タイマ１５を初期化し、ウォームアップ経過時間の計時を開始させる（Ｓ２）。ＣＰＵ１４は、記憶部７に設定されたウォームアップ設定時間と、タイマ１５によって計時されたウォームアップ経過時間とに基づいてウォームアップの進行状況を把握する（Ｓ３）。
【００４１】
そして、そのウォームアップの進行状況に基づいて状態表示部１０の各表示部１１を制御して（Ｓ４）、後述の図６に示すような表示を行い、あとどのくらいでウォームアップが終了するかをユーザーに通知する。状態表示部１０の具体的な表示例については、後述する。
【００４２】
図５は、実施の形態１のプロジェクタにおけるランプのクールダウン時の処理の流れを示すフローチャートである。以下、図５に基づいて、ランプ１のクールダウン時の状態表示部１０の表示制御に着目したＣＰＵ１４の動作について説明する。
電源スイッチ１３がＯＦＦされてランプ１が消灯すると（Ｓ１１）、ＣＰＵ１４は、タイマ１５を初期化し、クールダウン経過時間の計時を開始させる（Ｓ１２）。ＣＰＵ１４は、記憶部７に設定されたクールダウン設定時間と、タイマ１５によって計時されたクールダウン経過時間とに基づいてクールダウンの進行状況を把握する（Ｓ１３）。このクールダウンの進行状況は、例えば、クールダウン設定時間からクールダウン経過時間を減算してクールダウンの残り時間を求めることによって把握するようにしてもよく、また、クールダウン設定時間に対するクールダウン経過時間の割合によって把握するなどとしてもよい。
【００４３】
そして、そのクールダウンの進行状況に基づいて状態表示部１０の各表示部１１を制御して（Ｓ１４）、後述の図６に示すような表示を行い、あとどのくらいでクールダウンが終了するかをユーザーに通知する。状態表示部１０の具体的な表示例については、後述する。
【００４４】
以下、状態表示部１０における具体的な表示例について説明する。
【００４５】
図６は、状態表示部における表示の具体例を示す図で、（Ａ）の（ａ）及び（ｂ）はウォームアップ時の表示例、（Ｂ）の（ｃ）及び（ｄ）はクールダウン時の表示例を示している。なお、以下では、図６に示すように各表示部１１を投写方向側から順に１１ａ、１１ｂ、１１ｃ、１１ｄと区別して呼ぶ場合がある。また、図６においては点灯部分が黒の塗り潰しで表現されている。
（Ａ）ウォームアップ時には、（ａ）に示すように、ランプ１のウォームアップが進むに連れて、各表示部１１のうち投写方向とは逆方向の最も端の表示部１１ｄから投写方向に向かう順に、一つの表示部１１を順次点灯させる一方、その前に点灯させていた表示部１１があれば、その表示部１１を消灯させる。すなわち、投写方向に向かう順に一つの表示部１１を順次切り替えて点灯させ、ウォームアップが終了した際には各表示部１１のうち最も投写方向の端の表示部１１ａだけが点灯した状態となるようにする。また、（ｂ）に示すように、表示部１１を消灯させることなく、投写方向に向かう順に順次点灯させ、ウォームアップが終了した際には全ての表示部１１が点灯した状態とするようにしてもよい。
【００４６】
この表示制御は、ＣＰＵ１４により成されるものであり、状態表示部１０の各表示部１１の点灯・消灯を切り替えるタイミングは、以下のように決定されている。すなわち、ウォームアップ設定時間を予め表示部１１の数に合わせて複数段階（ここでは４段階）に分けるとともに、各ウォームアップ用時間段階毎に各表示部１１をそれぞれ割り当てておき、この各ウォームアップ用時間段階と各表示部１１との対応関係を示す情報を予め記憶部７に記憶しておく。そして、ＣＰＵ１４は記憶部７に記憶した情報に基づき状態表示部１０の各表示部１１の制御を行う。
【００４７】
具体的には、図６（ａ）の場合においては、タイマ１５によって計時された時間が各ウォームアップ用時間段階に達すると、その時間段階に対応した表示部１１を点灯させる一方、その以前に点灯させていた表示部１１があれば、その表示部１１を消灯させる。また、（ｂ）の場合においては、タイマ１５によって計時された時間が各ウォームアップ用時間段階に達すると、その時間段階に対応した表示部１１を点灯させるように制御するものである。以上の制御により、図６（ａ）（ｂ）に示した表示が実現される。
【００４８】
また、図６（Ｂ）のクールダウン時には、（ｃ）に示すように、ランプ１のクールダウンが進むに連れて、最も投写方向の端の表示部１１ａから投写方向とは逆方向に向かう順に、一つの表示部１１を順次点灯させる一方、その前に点灯させていた表示部１１があれば、その表示部１１を消灯させる。すなわち、投写方向とは逆方向に向かう順に一つの表示部１１を順次切り替えて点灯させ、クールダウンが終了した際には各表示部１１のうち投写方向とは逆方向の最も端の表示部１１ｄだけが点灯した状態となるようにする。また、（ｄ）に示すように、まず最初は全て点灯させ、そして、最も投写方向の端の表示部１１ａから、投写方向とは逆方向に向かう順に順次消灯させ、クールダウンが終了した際には全ての表示部１１が消灯した状態とするようにしてもよい。
【００４９】
この場合のＣＰＵ１４による表示制御も、基本的には上記と同様の方法であり、表示部１１の数に合わせて予めクールダウン設定時間を複数段階（ここでは４段階）に分けるとともに、各クールダウン用時間段階毎に各表示部１１をそれぞれ割り当てておく。そして、タイマ１５によって計時された時間が各クールダウン用時間段階に達すると、（ｃ）の場合においては、そのクールダウン用時間段階に対応した表示部１１を点灯させる一方、その以前に点灯させていた表示部１１があれば、その表示部１１を消灯させる。また、（ｄ）の場合においては、まず、全ての表示部１１を点灯させ、そして、タイマ１５によって計時された時間が各クールダウン用時間段階に達すると、その時間段階に対応した表示部１１を消灯させるように制御するものである。以上の制御により、図６（ｃ）（ｄ）に示した表示が実現される。
【００５０】
図７は、状態表示部の他の表示例を示す図である。（Ａ）の（ａ）及び（ｂ）はウォームアップ時の表示例、（Ｂ）の（ｃ）及び（ｄ）はクールダウン時の表示例を示している。なお、図７においては点灯部分が黒の塗り潰しで表現されている。
この例は、表示窓の形状を変えたもので、表示部１１の点灯順序については図６で説明したい順序と同様である。この例では、表示窓１２０の形状を、投写方向とは逆方向の最も端の表示窓１２０ｄについては円形状に形成し、その他の表示窓１２０ａ〜１２０ｄについては、投写方向に凸の円弧状に形成し、且つその円弧の長さが、投写方向の表示窓となるに従って長くなるように形成したものである。
【００５１】
図６及び図７に示した例では、ウォームアップ時には、各表示部１１を投写方向すなわちスクリーン２００の方向に向かって点灯させる制御としているので、例えば、表示部１１を、左右方向（投写方向を前方としたときの左右方向）に並べて左方向あるいは右方向に向かって順次点灯させる場合に比べて、プロジェクタ１００の状態が、スクリーン２００への投写可能状態へ向けて進行していることが感覚的に分かりやすい。また、表示窓の形状を、図７に示したような表示窓１２０の形状とすることにより、スクリーン２００への投写可能状態へ向けて進行していることが、さらに感覚的に把握しやすくなる。なお、表示窓の形状は、図示の形状の他にも、任意の形状を採用できるものとする。
【００５２】
また、クールダウン時には、上記ウォームアップ時とは逆に、投写方向と逆方向に表示部１１の点灯・消灯状態を変えるようにしているため、プロジェクタ１００がスクリーン２００へ投写表示状態から、動作終了状態（クールダウン終了状態）へと進行していることが感覚的に分かりやすい。また、上記ウォームアップ時と同様に、表示窓の形状を、図７の表示窓１２０の形状とした場合には、その感覚的な把握がさらに容易となる。
【００５３】
図８は、状態表示部のまた別の表示例を示す図である。（Ａ）の（ａ）及び（ｂ）はウォームアップ時の表示例、（Ｂ）の（ｃ）及び（ｄ）はクールダウン時の表示例を示している。なお、図８においては点灯部分が黒の塗り潰しで表現されている。
この例は、複数の表示部１１（この例では８個の表示部１１ａから１１ｈ）を円形状に配置し、また、各表示部１１に対応する各表示窓１２のそれぞれを長穴状に形成するとともに、全体として放射状を成すように配置したものである。この例では、（Ａ）ウォームアップ時には、（ａ）に示すように、ランプ１のウォームアップが進むに連れて、例えば表示部１１ｆから時計回りに順次点灯させる一方、その以前に点灯させていた表示部１１があれば、その表示部１１を消灯させる。すなわち、表示部１１ｆから時計回りに順次、一つの表示部１１を切り替えて点灯させ、ウォームアップが終了した際には表示部１１ｅだけが点灯した状態となるようにする。また、（ｂ）に示すように、表示部１１ｆから時計回りに順次点灯させ、ウォームアップが終了した際には全ての表示部１１が点灯した状態とするようにしてもよい。なお、ここでは、表示部１１ｆを点灯開始点としたが、別の表示部１１を点灯開始点に設定してももちろん良い。なお、ここでは時計回りとしたが、反時計回りとしてももちろん良い。
【００５４】
また、（Ｂ）クールダウン時には、（ｃ）に示すように、ランプ１のクールダウンが進むに連れて、例えば表示部１１ｄから順に、反時計回りに順次切り替えて点灯させ、クールダウンが終了した際には表示部１１ｅだけが点灯した状態となるようにする。また、（ｄ）に示すように、最初は全て点灯させておき、例えば表示部１１ｄから反時計回りに順次消灯させ、クールダウンが終了した際には全ての表示部１１が消灯した状態とするようにしてもよい。なお、この場合も、点灯又は消灯開始点は、表示部１１ｆに限られず、別の表示部１１を点灯又は消灯開始点に設定してももちろん良い。また、ここでは反時計回りとしたが、時計回りとしてももちろん良い。
【００５５】
以上説明したように、本実施の形態１によれば、ランプ１のウォームアップの進行状況に応じて複数の表示部１１の点灯状況を変えるようにしたので、ユーザは、あとどのくらいで投写表示が可能となるのかを、状態表示部１０の表示を一瞥しただけで簡単に把握することが可能となる。また、ランプ１のクールダウンの進行状況に複数の表示部１１の点灯状況を変えるようにしたので、ウォームアップの場合と同様に、ユーザは、あとどのくらいでクールダウンが終了して電源コンセントを抜くことができるのかを、状態表示部１０の表示を一瞥しただけで簡単に把握することが可能となる。
【００５６】
実施の形態２．
図９は、実施の形態２のプロジェクタの構成を示すブロック図である。
実施の形態２のプロジェクタ３００は、図２に示した実施の形態１の状態表示部１０に代えて、例えば液晶パネルなどの表示装置で構成された状態表示部３０１を設けたもので、その他の構成は図２と同様である。なお、状態表示部３０１は、液晶パネルの他、他に例えば蛍光表示管や、ＦＬ表示管で構成しても良い。
【００５７】
図１０は、状態表示部上に表示する表示画面の一例を示す図である。（Ａ）の（ａ）及び（ｂ）はウォームアップ時の表示例、（Ｂ）の（ｃ）及び（ｄ）はクールダウン時の表示例を示している。
実施の形態２の状態表示部３０１上には、ウォームアップの進行状況及びクールダウンの進行状況を通知するためのインジケータ３１０が表示される。ここで、このインジケータ３１０は、プロジェクタ３００の投写方向に向かって延びる矩形状領域３１０ａと、この矩形状領域３１０ａ内に表示される矩形状の指標部３１０ｂとを備えた構成であり、指標部３１０ｂの矩形状領域３１０ａ内における位置又は長さによってプロジェクタ３００の状態の進行程度を示すものである。
【００５８】
具体的には、図１０（Ａ）ウォームアップ時の（ａ）に示すように、ランプ１のウォームアップが進むに連れて、インジケータ３１０内の指標部３１０ｂが、矩形状領域３１０ａの投写方向とは逆方向側の端部から投写方向側に向かって移動するようになっている。また、（ｂ）に示すようにインジケータ３１０内の指標部３１０ｂが矩形状領域３１０ａにおける投写方向とは逆の端部から投写方向に向かって徐々に延びる構成としてもよい。
【００５９】
また、（Ｂ）のクールダウン時には、（ｃ）に示すように、ランプ１のクールダウンが進むに連れて、インジケータ３１０内のボックスが、矩形状領域３１０ａの投写方向側の端部から投写方向とは逆方向に向けて移動するようになっている。また、（ｄ）に示すように、最初は矩形状領域３１０ａ内全体に指標部３１０ｂを表示させておき、ランプ１のクールダウンが進むに連れて、指標部３１０ｂを、投写方向側の端部側から徐々に短くなるように表示するようにしてもよい。この場合の表示制御も上記と同様の方法によって実現される。
【００６０】
実施の形態３．
上記実施の形態１及び実施の形態２では、状態表示部の表示の制御を、タイマ１５によって計時されたウォームアップ経過時間及びクールダウン経過時間に基づいて行うようにしていたが、実施の形態３では、ランプ１の温度に基づいて行うようにしたものである。
【００６１】
図１１は、実施の形態３のプロジェクタの主な構成を示すブロック図である。実施の形態３のプロジェクタ４００は、図２に示した実施の形態１のプロジェクタ１００に、さらにランプ１の温度を検出する温度検出部４０１を設けたもので、その他の構成は図２と同様である。
【００６２】
また、実施の形態３では、記憶部７に、ランプ１のウォームアップ終了温度とクールダウン終了温度とが記憶されている。また、ウォームアップ終了温度を基準に、温度が下降する方向に適宜の温度間隔で複数のウォームアップ用温度段階が設けられている。そして、各ウォームアップ用温度段階毎に各表示部１１がそれぞれ対応付けられており、各ウォームアップ用温度段階と各表示部１１との対応関係を示す情報が記憶部７に記憶されている。またさらに、クールダウン終了温度を基準に、温度が上昇する方向に適宜の温度間隔で複数のクールダウン用温度段階が設けられている。そして、各クールダウン用温度段階毎に各表示部１１が対応付けられており、各クールダウン用温度段階と各表示部１１との対応関係を示す情報が記憶部７に記憶されている。
【００６３】
このように構成されたプロジェクタ１００においては、電源スイッチ１３がＯＮされた後、温度検出部４０１で検出されたランプ１の温度が各ウォームアップ用温度段階にまで達すると（上昇すると）、そのウォームアップ用温度段階に対応した表示部１１を点灯させる等、上記実施の形態１と同様の表示制御を行うものである。
【００６４】
また、電源スイッチ１３がＯＦＦされた後、温度検出部４０１で検出された温度が各クールダウン用温度段階にまで達すると（下降すると）、そのクールダウン用温度段階に対応した表示部１１を点灯させる等、上記実施の形態１と同様の表示制御を行うものである。
【００６５】
以上に説明したように、ウォームアップ及びクールダウンの進行状況の判断を、ランプ１の温度に基づいて行うようにしても良い。
【００６６】
なお、図１１には、図２に示した実施の形態１のプロジェクタ１００に温度検出部４０１を設けた場合を図示して説明したが、図９に示した実施の形態２のプロジェクタ３００に温度検出部４０１を設けた構成としてもよい。
【００６７】
また、ウォームアップ進行状況及びクールダウン進行状況を把握するための方法は、上述した方法に限られたものではなく、これらの進行状況を把握できる方法であれば、任意の方法を採用することができる。
【００６８】
ところで、上記実施の形態では、液晶パネルがＲＧＢ信号にそれぞれ対応して３個枚設けられた３板式プロジェクタを例に説明したが、本発明のプロジェクタは、他の個数の液晶パネルを採用することも可能であり、例えば、液晶パネルを１枚使用したいわゆる単板式プロジェクタとすることもできる。
また、液晶パネルは、光を透過して変調する透過型のものであったが、入射した光を反射しつつ変調して出射する反射型のものであってもよい。
【図面の簡単な説明】
【図１】本発明の実施の形態１に係るプロジェクタの外観斜視図。
【図２】プロジェクタの主な構成を示すブロック図。
【図３】プロジェクタの光学系を示す構成図。
【図４】実施の形態１におけるウォームアップの際のフローチャート。
【図５】実施の形態１におけるクールダウンの際のフローチャート。
【図６】状態表示部における表示の具体例を示す図。
【図７】状態表示部の他の表示例を示す図。
【図８】状態表示部のまた別の表示例を示す図。
【図９】実施の形態２のプロジェクタの構成を示すブロック図。
【図１０】状態表示部上に表示する表示画面の一例を示す図。
【図１１】実施の形態３のプロジェクタの構成を示すブロック図。
【符号の説明】
１  ランプ（光源ランプ）、７  記憶部、１０，３０１  状態表示部、１１表示部、１３  電源スイッチ、１２  表示窓、１４  ＣＰＵ（制御部）、１５タイマ、１００，３００，４００  プロジェクタ、３１０  インジケータ、３１０ａ  矩形状領域、３１０ｂ  指標部。
【図１】
2005017583.tif 000003
【図２】
2005017583.tif 000004
【図３】
2005017583.tif 000005
【図４】
2005017583.tif 000006
【図５】
2005017583.tif 000007
【図６】
2005017583.tif 000008
【図７】
2005017583.tif 000009
【図８】
2005017583.tif 000010
【図９】
2005017583.tif 000011
【図１０】
2005017583.tif 000012
【図１１】
2005017583.tif 000013